(57)【特許請求の範囲】
【請求項１】
セルサーチを行うセルサーチ手段と、
特定経路上のセルをカバーする基地局に関する経路情報を記憶する記憶手段と、
前記経路情報に基づいてセルサーチ手段を制御し、少なくとも前記特定経路上にある通信圏外領域内においてセルサーチを行なわない期間を含む省電力モードでの動作を実現する制御手段と、
を備えることを特徴とする携帯通信端末。
【請求項２】
入力操作に応じて学習開始指令及び学習終了指令を出力する入力操作手段と、
前記学習開始指令を受けてから前記学習終了指令を受けるまでの間に接続先となった基地局を特定する情報を前記経路情報として生成する経路情報生成手段と、
をさらに備えることを特徴とする請求項１に記載の携帯通信端末。
【請求項３】
前記学習開始指令を受けてからの経過時間を測定する計時手段をさらに備え、
前記経路情報生成手段は、前記計時手段が測定した前記経過時間に基づいて、前記経路情報に、前記学習開始指令を受けてから各基地局が接続先となったとき及び接続先でなくなったときまでの経過時間を表す時間情報を含ませるようにした、
ことを特徴とする請求項２に記載の携帯通信端末。
【請求項４】
前記経路情報生成手段は、接続先となる基地局が１つのときの第１の期間を短縮し、接続先となる基地局が２つ以上のときの第２の期間を伸長するように、前記計時手段が測定した前記経過時間を調整し、調整された経過時間を前記時間情報として前記経路情報に含ませるようにした、
ことを特徴とする請求項３に記載の携帯通信端末。
【請求項５】
位置情報を取得する位置情報取得手段をさらに備え、
前記経路情報生成手段は、前記位置情報取得手段が取得した前記位置情報に基づいて、前記経路情報に、前記学習開始指令を受けてから各基地局が接続先となったとき及び接続先でなくなったときの位置情報を含ませるようにした、
ことを特徴とする請求項２に記載の携帯通信端末。
【請求項６】
前記制御手段は、前記経路情報に基づいてセルサーチを行ったとき、接続先となる基地局を見つけられなければ、通常モードに移行させることを特徴とする請求項１乃至５のいずれかに記載の携帯通信端末。
【請求項７】
請求項１乃至６のいずれかに記載の携帯通信端末を含むことを特徴とする移動体通信システム。
【請求項８】
省電力モードへの移行指令を検出するステップ、
特定経路上のセルをカバーする基地局に関する経路情報を記憶する記憶部から前記経路情報を読み出すステップ、及び
前記経路情報に基づいて少なくとも前記特定経路上にある通信圏外領域ではセルサーチを行わず、セルサーチを行なわない期間に続いて特定の基地局を対象とするセルサーチを行うステップ、
を含むことを特徴とする携帯通信端末の制御方法。
【請求項９】
学習開始指令及び学習終了指令を検出するステップ、
前記学習開始指令が検出されてから前記学習終了指令が検出されるまでの間に接続先となった基地局を特定する情報を前記経路情報として生成するステップ、及び
前記経路情報を前記記憶部に格納させるステップ、
をさらに含むことを特徴とする請求項８に記載の携帯通信端末の制御方法。
【請求項１０】
省電力モードへの移行指令を検出するステップ、
特定経路上のセルをカバーする基地局に関する経路情報を記憶する記憶部から前記経路情報を読み出すステップ、及び
前記経路情報に基づいて少なくとも前記特定経路上にある通信圏外領域ではセルサーチを行わず、セルサーチを行なわない期間に続いて特定の基地局を対象とするセルサーチを行うステップ、
をコンピュータに実行させるプログラム。
【発明の詳細な説明】
【技術分野】
【０００１】
本発明は、携帯通信端末に関し、特に、セルラー方式の移動体通信システムにおける携帯通信端末の制御方法に関する。
【背景技術】
【０００２】
セルラー方式の移動体通信システムに用いられる携帯通信端末（移動局）は、接続可能な基地局を探したり（初期サーチ）、通信中の基地局との通信状態の変化に応じて複数の基地局から送信される信号の受信電力をモニタしたり（周辺セルサーチ）する機能（以下、セルサーチ機能という）を備えている。このようなセルサーチ機能は、携帯通信端末がいずれかの基地局と一定以上の通信品質で通信するために必要な機能である。しかしながら、セルサーチの実行頻度は、携帯通信端末の消費電力に大きく影響する。
【０００３】
従来の移動体通信システムとして、特定経路毎に基地局リストを用意しておき、セルサーチを行った際に、基地局リストに含まれる基地局を次の通信相手として選択するようにすることで、不必要な基地局の切り替えを極力無くすようにしたものがある（例えば、特許文献１参照）。
【０００４】
また、過去の履歴情報を格納しておき、次に移動するであろうセルを予測して、セルサーチの対象を減らすことで、消費電力の増大を防止する携帯情報端末がある（例えば、特許文献２参照）。
【先行技術文献】
【特許文献】
【０００５】
【特許文献１】特開２００３−１４３６３７号公報
【特許文献２】特開２００４−２８９２２６号公報
【発明の概要】
【発明が解決しようとする課題】
【０００６】
特許文献１に記載されたシステムは、セルサーチの頻度をいくらか低減することができる。しかしながら、このシステムでは、基地局に対して移動局から基地局リストの送信を要求し、それを受信し、さらにセルサーチ結果と基地局リストとの照合しなければならない、といった新たな処理が必要となる。したがって、特許文献１に記載のシステムでは、消費電力の低減という観点から見た場合に大きな効果を期待することはできない。
【０００７】
一方、特許文献２に記載された携帯情報端末は、セルサーチの対象を減らすことで消費電力の増大を防止することができる。しかしながら、セルサーチの頻度を低減するものではないため、更なる消費電力の低減の余地があることに、発明者は気づいた。具体的には、携帯通信端末の利用者の多くは、通勤や通学など、特定経路上の移動を行動の基本パターンとしており、携帯通信端末は、高い確率で特定の基地局に決まった順序で接続されることに、発明者は気づいた。
【０００８】
本発明は、携帯通信端末のセルサーチの頻度を低減し、携帯通信端末の消費電力の低減を実現しようとするものである。
【課題を解決するための手段】
【０００９】
本発明の一形態に係る携帯通信端末は、セルサーチを行うセルサーチ手段と、特定経路上のセルをカバーする基地局に関する経路情報を記憶する記憶手段と、前記経路情報に基づいてセルサーチ手段を制御し、少なくとも前記特定経路上にある通信圏外領域内においてセルサーチを行なわない期間を含む省電力モードでの動作を実現する制御手段と、を備えている。
【００１０】
また、本発明の他の形態による携帯通信端末の制御方法は、省電力モードへの移行指令を検出するステップ、特定経路上のセルをカバーする基地局に関する経路情報を記憶する記憶部から前記経路情報を読み出すステップ、及び前記経路情報に基づいて少なくとも前記特定経路上にある通信圏外領域ではセルサーチを行わず、セルサーチを行なわない期間に続いて特定の基地局を対象とするセルサーチを行うステップ、を含んでいる。
【発明の効果】
【００１１】
本発明によれば、特定経路上のセルをカバーする基地局に関する経路情報に基づいてセルサーチを行うので、携帯通信端末が特定経路上を移動する場合に、必要なときのみセルサーチが行われる。これにより、セルサーチの頻度を低減し、消費電力を低減することができる。
【００１２】
具体的には、特定経路上に通信圏外領域が有り、その通信圏外領域内に携帯通信端末が位置している場合に、基地局サーチの実行を抑制し、それによって消費電力を低減することができる。
【００１３】
また、携帯通信端末が通信圏内領域に位置し、かつハンドオーバーが不要の場合に、基地局サーチ及び周辺基地局モニタの実行を抑制し、それによって消費電力を低減することができる。
【００１４】
さらに、携帯通信端末が通信圏内領域に位置し、かつハンドオーバーが必要な場合に、周辺基地局モニタの対象を制限し、それによって消費電力を低減することができる。
【図面の簡単な説明】
【００１５】
【図１】本発明の第１の実施の形態に係る携帯通信端末の要部概略構成を示すブロック図である。
【図２】携帯通信端末による学習の対象となる移動経路上のセル配置と、経過時間Ｔと、接続先となる基地局との関係を示す図である。
【図３】学習によって取得された経路情報の一例を示す図である。
【図４】学習の対象となった特定経路上のセル配置と、調整された経過時間情報ｔと、動作モードとの関係を示す図である。
【図５】調整処理により得られた経路情報の一例を示す図である。
【図６】図１の携帯通信端末の省電力モードの動作を説明するためのフローチャートである。
【図７】本発明の第２の実施の形態に係る携帯通信端末の要部概略構成を示すブロック図である。
【発明を実施するための形態】
【００１６】
以下、図面を参照して本発明の実施の形態について詳細に説明する。
【００１７】
本発明は、サービスエリアが複数のセルに分割され、各セルをカバーする基地局がそれぞれのセルに配置されているセルラー方式の移動体通信システム、例えば携帯電話システム、に適用できる。
【００１８】
本発明は、記憶部に記憶された特定経路上のセルをカバーする基地局に関する経路情報に基づいて、セルサーチを行うことにより、セルサーチの頻度を低減し、省電力を実現する。特定経理上のセルをカバーする基地局に関する経路情報は、実際に携帯通信端末を特定経路上で移動させつつ経路情報を収集する学習により取得する。以下、詳細に説明する。
【００１９】
図１に、本発明の第１の実施の形態に係る携帯通信端末の要部概略構成を示す。図１に示すように、携帯通信端末１００は、受信部１０１、制御部１０２、経路情報記憶部１０３、タイマー部１０４、基地局情報変化検出部１０５、及び省電力機能制御インタフェース１０６を有している。本発明に直接関係の無い送信部等については図示及びその説明を省略するが、携帯通信端末１００は、携帯通信端末に通常求められる機能を実現するための構成を備えているものとする。
【００２０】
受信部１０１は、周囲の基地局から送信される電波を受信し、復調等の受信処理を行う。この受信処理には、接続先となる基地局を探索する初期セルサーチ、周辺基地局から送信される信号の受信電力をモニタする周辺セルサーチ、及び接続先となる基地局との同期を維持する間欠セルサーチ（以下、一纏めにセルサーチという）が含まれる。
【００２１】
制御部１０２は、各部を制御し、携帯通信端末１００全体の動作を司る。特に、本実施の形態では、制御部１０２は、経路情報の生成（学習）制御、省電力モード動作時の経路情報に基づくセルサーチ動作制御を行う。
【００２２】
経路情報記憶部１０３は、特定経路上のセルをカバーする基地局に関する経路情報を記憶する。経路情報については、後述する。
【００２３】
タイマー部１０４は、制御部１０２の制御の下、時間測定を行う。
【００２４】
基地局情報変化検出部１０５は、基地局情報の変化を検出する。基地局情報は、制御部１０２から受信部１０１に対して通知される情報である。受信部１０１は、制御部１０２からの基地局情報に基づいて、受信信号処理対象基地局を設定する。つまり、基地局情報は、セルサーチの対象となる基地局を表している。
【００２５】
基地局情報変化検出部１０５は、基地局情報の変化を検出すると、その旨制御部１０２に通知する。
【００２６】
省電力機能制御インタフェース１０６は、タッチパネルや入力キー等を備え、利用者の入力操作に応じた信号を出力する。省電力機能制御インタフェース１０６の出力信号には、学習開始指令信号、学習終了指令信号、省電力モード移行指令信号等が含まれる。なお、これらの信号は、省電力機能制御インタフェース１０６への入力操作を検出した制御部１０２にて生成するようにしてもよい。
【００２７】
上記説明から理解されるように、受信部１０１は、セルサーチを行うセルサーチ手段として働く。制御部１０２は、セルサーチ手段を制御する制御手段として働く。経路情報記憶部１０３は、経路情報を記憶する記憶手段として働く。省電力機能制御インタフェース１０６は、入力操作に応じて学習開始指令及び学習終了指令を出力する入力操作手段として働く。タイマー部１０４は、学習開始指令を受けてからの経過時間を測定する計時手段として働く。制御部１０２は基地局情報変化検出部１０５とともに、学習開始指令を受けてから学習終了指令を受けるまでの間に接続先となった基地局を特定する情報を経路情報として生成する経路情報生成手段としても働く。
【００２８】
次に、図１の携帯通信端末１００の動作について、図２乃至図６をも参照して説明する。
【００２９】
まず、学習動作について説明する。ここでは、通勤路や通学路のように利用者が繰り返し利用する移動経路（特定経路）が存在するものとして、その特定経路上のセルをカバーする基地局に関する経路情報を生成するものとする。
【００３０】
図２の上側に、特定経路２０１の一例を示す。特定経路２０１は、第１の地点Ｓと第２の地点Ｇとを結ぶ経路であり、第１の地点Ｓは、例えば利用者の自宅、第２の地点Ｇは、例えば利用者の勤務先や学校である。図２では、特定経路２０１を一直線で示しているが、実際の経路は必ずしも一直線ではなく、直線部、曲線部及び屈曲部を含むことがある。また、特定経路２０１には、一般道路のみならず、鉄道や高速道路が含まれることがある。
【００３１】
図示のように、特定経路２０１は、セルＡ、セルＢ、セルＣ、及びセルＤを通る。セルＡ−Ｄは、それぞれ図示しない基地局Ａ−Ｄによって無線通信サービスが提供される領域を表している。携帯通信端末１００は、各セル内に位置するとき、そのセルをカバーする基地局と無線通信可能である。２以上のセルが重なり合う領域では、携帯通信端末１００は、それらのセルをカバーする複数の基地局と無線通信可能である。
【００３２】
また、特定経路２０１上には、セルＣとセルＤとが重なり合う領域において、トンネル２０２が存在する。このトンネルは、携帯通信端末１００がいずれの基地局とも無線通信不可能となる領域（通信圏外領域）の一例である。
【００３３】
以下、利用者が第１の地点Ｓから第２の地点Ｇへと向かって移動する際に、学習動作を実行する場合について説明する。
【００３４】
まず、学習を開始するに当たり、利用者は、省電力機能制御インタフェース１０６に対して入力操作を行い、学習開始指令信号を出力させる。
【００３５】
省電力機能制御インタフェース１０６からの学習開始指令信号は、関係ブロック、具体的には、制御部１０２、経路情報記憶部１０３、タイマー部１０４及び基地局情報変化検出部１０５、へ出力される。この学習開始指令信号は、省電力機能制御インタフェース１０６から学習開始を指示する入力を検出した旨のの通知を受けた制御部１０２が、各部へ出力するようにしてもよい。いずれにしても、利用者によって省電力機能制御インタフェース１０６に対して学習開始の指示入力があると、携帯通信端末１００は学習モードに移行する。
【００３６】
受信部１０１及び制御部１０２は、学習モードに移行しても、通常モードのときと同様のセルサーチを行う。つまり、制御部１０２は、周囲状況や通信状況に応じた基地局情報を受信部１０１へ通知する。
【００３７】
学習モードに移行すると、基地局情報変化検出部１０５は、制御部１０２から受信部１０１へ通知される基地局情報の変化の検出を開始する。また、タイマー部１０４は、経過時間の計測（カウント）を開始する。
【００３８】
学習モードへ移行したとき、携帯通信端末１００は第１の地点Ｓに位置しており、接続先となる基地局は基地局Ａである。制御部１０２は、基地局Ａを表す基地局情報を経過時間（Ｔ＝０）とともに経路情報として経路情報記憶部１０３に記憶させる。
【００３９】
携帯通信端末１００が第１の地点Ｓを離れて、第２の地点Ｇに向かって進むに従い、基地局Ａからの信号の受信電力は低下していく。これにより、制御部１０２及び受信部１０１は、次の接続先を探し、やがて、次の接続先として基地局Ｂを選択する。基地局情報変化検出部１０５は、基地局Ｂが接続先として追加されたことを検出し、制御部１０２に通知する。制御部１０２は、基地局情報変化検出部１０５からの通知に応じてタイマー部１０４から経過時間（Ｔ＝Ｔ１）を示す経過時間情報を取得し、接続先が基地局Ａ及びＢとなったことを表す基地局情報とともに、経路情報記憶１０３に記憶された経路情報に加える。
【００４０】
携帯通信端末１００がさらに第２の地点Ｇに向かって進むと、制御部は、接続先から基地局Ａを削除し、基地局Ｂのみを接続先とする。このときも、基地局情報変化検出部１０５は、基地局Ａが接続先から削除されたことを検出し、制御部１０２に通知する。制御部１０２は、基地局情報変化検出部１０５からの通知に応じてタイマー部１０４から経過時間（Ｔ＝Ｔ２）を示す経過時間情報を取得し、接続先が基地局Ｂとなったことを表す基地局情報とともに、経路情報記憶１０３に記憶された経路情報に加える。
【００４１】
以降、同様にして、通信先となる基地局が追加され又は削除されるたびに、経路情報記憶部１０３に記憶された経路情報が更新される。また、携帯通信端末１００が通信圏外領域に入ったとき、再び通信圏内領域に入ったときも、同様である。
【００４２】
図２の下側に、経過時間Ｔと、接続先となる基地局Ａ−Ｄとの関係を示す。同図において、経過時間Ｔは、上側に示す特定経路２０１上の位置に対応している。
【００４３】
次に、省電力機能制御インタフェース１０６が操作され学習終了が指示されると、省電力機能制御インタフェース１０６は、制御部１０２、経路情報記憶部１０３、タイマー部１０４及び基地局情報変化検出部１０５に対して学習終了指令信号を出力する。制御部１０２は、タイマー部１０４から経過時間情報を取得し、経路情報記憶１０３に記憶された経路情報に加える。
【００４４】
以上のようにして、経路情報記憶部１０３に学習結果として基地局情報と対応する経過時間情報とが蓄積される。蓄積された経路情報を、図３に示す。
【００４５】
図３に示す経路情報を、その後の省電力モードにおける動作制御にそのまま利用することも可能である。しかしながら、動作の安定性等を考慮して、以下のような後処理を行うことが好ましい。
【００４６】
まず、制御部１０２は、経路情報記憶部１０３に記憶されている経路情報（学習結果）を読み出す。そして、図４から理解されるように、接続先となる基地局が追加されるタイミングを示す経過時間情報Ｔ１，Ｔ３を、そのタイミングを早めるように調整し、調整された時間情報ｔｏｎ１，ｔｏｎ２を生成する。また、基地局を接続先から削除するタイミングを示す経過時間情報Ｔ２，Ｔ４を、そのタイミングを遅らせるように調整し、調整された時間情報ｔｏｆｆ１，ｔｏｆｆ２を生成する。さらに、通信圏外領域に入るタイミングを示す経過時間情報Ｔ５を削除する一方、再び通信圏内領域に入るタイミングを示す経過時間情報Ｔ６に関して、そのタイミングを早めたタイミングと遅らせたタイミングとをそれぞれ表す新たな時間情報ｔｏｎ３，ｔｏｆｆ３を生成する。
【００４７】
このような経過時間情報Ｔ１〜Ｔ６の調整は、ハンドオーバーに要する制御時間や、学習時と学習結果利用時の携帯通信端末１００の移動速度の差などを考慮して行われる。概して、この調整は、省電力モード１の継続期間を短縮し、省電力モード２の継続期間を延長するように行われる。省電力モード１及び省電力モード２については後述する。
【００４８】
図５に、上述した調整された時間情報ｔ（ｔｏｎ及びｔｏｆｆ）と接続先となる基地局との関係を示す。これは、セルサーチを開始するタイミング（ｔｏｎ）セルサーチ（受信電力モニタ）の対象となる基地局、セルサーチを終了するタイミング（ｔｏｆｆ）を表している。
【００４９】
次に、再び図４を参照して、省電力モードにおける携帯通信端末１００の動作について説明する。
【００５０】
携帯通信端末１００の利用者は、特定経路２０１を通り、地点Ｓから地点Ｇへ移動しようとする際に、省電力機能制御インタフェース１０６を操作して、省電力モードへの移行を指示する。
【００５１】
省電力機能制御インタフェース１０６から入力された省電力モードへの移行指示は、制御部１０２に伝えられる。制御部１０２は、省電力モードへの移行指示を受けると、省電力モードで動作するように携帯通信端末１００の各部を制御する。
【００５２】
ここで、省電力モードには、２つのモード、即ち省電力モード１と省電力モード２、がある。省電力モード１は、携帯通信端末１００がいずれかのセルの中央部に位置し（いずれかの基地局と安定して通信可能な状態にあり）、ハンドオーバを行う必要が無い場合に用いられる。これに対し、省電力モード２は、携帯通信端末１００がいずれかのセルの周辺部に位置し、ハンドオーバに備える又はハンドオーバを行う必要がある場合に用いられる。なお、携帯通信端末１００が通信圏外へ出た場合には、省電力モード１が用いられる。
【００５３】
省電力モード１のとき、携帯通信端末１００はセルサーチを行わない。つまり、携帯通信端末１００が通信圏内に位置し、かつハンドオーバーが不要の場合には、周辺基地局モニタの実施を抑制し、それによって消費電力を低減することができる。また、特定経路２０１上のトンネル２０２のような通信圏外領域内に携帯通信端末１００が位置している場合には、基地局サーチの実行を抑制し、それによって消費電力を低減することができる。これにより、省電力モード１では、大幅な消費電力の低減を実現できる。また、省電力モード２のとき、携帯通信端末１００は、基地局情報が示す基地局を対象とするセルサーチ（受信電力モニタ）を実行する。この場合は、セルサーチの対象を限定することによって、消費電力の低減を実現できる。
【００５４】
省電力モードへ移行すると（ｔ＝０）、タイマー部１０４は経過時間を計測する。制御部１０２は、タイマー部１０４が計測する経過時間を周期的に取得し、経路情報記憶部１０３に格納された基地局情報に含まれる時間情報ｔｏｎ及びｔｏｆｆのいずれかが示す時間を過ぎたか否か判定する。
【００５５】
制御部１０２は、省電力モードでは、省電力モード１での動作を基本とし、経過時間が時間情報ｔｏｎが示す時間を経過すると省電力モード２に移行し、対応する時間情報ｔｏｆｆが示す時間を経過すると省電力モード１に復帰させる。
【００５６】
図４を参照すると、携帯通信端末１００の動作モードは、省電力モードへの移行指示を受けて（ｔ＝０のとき）、通常モードから省電力モード１に移行する。そして、経過時間がｔｏｎ１を過ぎると省電力モード２に移行し、ｔｏｆｆ１を過ぎると省電力モード１に復帰する。
【００５７】
上述したように、時間情報ｔｏｎ１は経過時間情報Ｔ１よりもタイミングが早まるように、時間情報ｔｏｆｆ１は経過時間情報Ｔ２よりもタイミングが遅くなるように定められている。換言すると省電力モード１の継続時間を短縮し、省電力モード２の継続時間を延長している。これは、省電力モード１ではセルサーチ（モニタ動作）を行っておらず、Ｔ１のタイミングで基地局Ｂを接続先に設定するには、それ以前から基地局Ｂをサーチ又はモニタしておく必要があるからである。また、携帯通信端末１００の移動速度は、必ずも学習時と同じではないので、移動速度の差が原因で基地局との接続が切断されることが無いようにするためである。時間情報ｔｏｎ２及びｔｏｆｆ２についても同様である。
【００５８】
また、通信圏外領域（Ｔ５−Ｔ６）では、無用なセルサーチを行わないように、省電力モード１を維持する。通常モードでは、携帯通信端末１００は、通信圏外領域に入ると通信可能な基地局を探索するためセルサーチ（基地局サーチ）を頻繁に繰り返す。これに対して、本実施の形態では、このようなセルサーチを行わないので、通常動作モードに比べて消費電力を著しく低下させることができる。
【００５９】
次に、通信圏外領域を出るタイミングよりも前のタイミング（ｔｏｎ３）で省電力モード２に移行し、セルサーチを開始する。このときもセルサーチの対象を（ここでは、基地局Ｄに）制限する。時間情報ｔｏｎ３及びｔｏｆｆ３についても、セルサーチに要する時間や、移動速度の差等を考慮している。
【００６０】
なお、時間情報ｔｏｆｆのタイミングで、次の接続先となる基地局が未だ見つかっていない（例えば、同期が取れない）場合には、制御部１０２は、省電力モード１に移行させず、通常モードに移行させる。
【００６１】
地点Ｇに到着した携帯通信端末１００の利用者は、省電力機能制御インタフェース１０６を操作して、通常モードへの移行を指示する（ｔｏｎ４）。これにより、携帯通信端末１００は、通常動作モードに移行する。あるいは、利用者による操作が無くとも、時間情報ｔｏｎ４のタイミングで携帯通信端末１００がセルＤ内に位置しているならば自動的に通常動作モードに移行するようにしてもよい。
【００６２】
図６に、省電力モードに移行した携帯通信端末１００の動作のフローチャートを示す。図示のように、省電力モードに移行するとセルサーチ動作が抑制される（ステップＳ６０１）。即ち、省電力モード１に移行する。そして、時間情報ｔｏｎｉ（ｉ＝１，２，・・・）をトリガとして、セルサーチ（受信電力モニタ）を実施する（Ｓ６０２〜Ｓ６０６）。即ち省電力モード２へ移行する。セルサーチは、時間情報ｔｏｆｆｉ（ｉ＝１，２，・・・）をトリガとして一旦終了する。即ち、省電力モード１へ復帰する。経路情報記憶部１０３に格納された経路情報が示す接続先基地局がＥｎｄになるまで、上記ステップＳ６０３〜Ｓ６０７）が繰り返される。
【００６３】
以上のようにして、本実施の形態に係る携帯通信端末１００は、繰り返し利用される特定経路２０１上での移動に伴うセルサーチに要する消費電力を低減することができる。
【００６４】
具体的には、特定経路上にトンネル２０２等の圏外領域が有る場合、携帯通信端末１００は、その圏外領域内では事実上セルサーチ（基地局サーチ）を行わないので、消費電力を低減することができる。
【００６５】
また、携帯通信端末１００がいずれかのセルの中央部に位置し、ハンドオーバーが不要の場合にはセルサーチ（基地局モニタ）を行わず、それによって消費電力を低減することができる。
【００６６】
さらに、携帯通信端末１００がいずれかのセルの周辺部に位置し、ハンドオーバーが必要な場合には、セルサーチ（周辺基地局モニタ）の対象を制限し、それによって消費電力を低減することができる。
【００６７】
なお、上記実施の形態では、地点Ｓから地点Ｇへの移動の際に学習を行い、同じく地点Ｓから地点Ｇへ移動する際に省電力モードに移行する例について説明したが、同じ学習結果を用いて、地点Ｇから地点Ｓへ移動する際に省電力モードとすることもできる。この場合、省電力モードへの移行指示があったとき、接続先の基地局が基地局Ａ及びＤのどちらであるのか判定することで、移動方向を知ることができる。また、時間情報ｔｏｎ及びｔｏｆｆをそのまま利用することはできないが、これらの時間情報から演算により逆方向の移動に対応する時間情報を求めておけばよい。
【００６８】
また、上記実施の形態では、学習を一度だけ行う場合について説明したが、学習を複数回行って、経過時間情報を取得するようにしてもよい。その場合、経過時間情報は取得した複数回の値の平均値を用いることができる。
【００６９】
さらに、上記実施の形態では、携帯通信端末の利用者が省電力機能制御インタフェース１０６を入力操作することによって、省電力モードへ移行する場合について説明したが、駅の改札や高速道路のインターなど、通過の際に実行される無線通信信号を検出して省電力モードへ移行するようにしてもよい。そうすることで、利用者が入力操作する手間を省くことができる。
【００７０】
次に、本発明の第２の実施の形態に係る携帯通信端末について、図７を参照して詳細に説明する。
【００７１】
図７の携帯通信端末７００は、タイマー部１０４に代えて位置情報監視制御部７０４を備えている点で図１の携帯端末装置１００と異なっている。
【００７２】
位置情報監視制御部７０４は、携帯通信端末７００の現在位置を表す位置情報を取得又は生成する位置情報取得手段として働く。位置情報監視制御部７０４は、例えばＧＰＳ（Global Positioning System）レシーバであり、ＧＰＳ衛星からの情報に基づいて、携帯通信端末７００の位置を求め、位置情報を生成する。得られた位置情報は、第１の実施の形態の経過時間情報に代わり、接続先の基地局を表す基地局情報とともに経路情報として、経路情報記憶部１０３に格納される。
【００７３】
位置情報監視制御部７０４により取得された位置情報は、その精度を落として利用する。例えば半径数十〜数百ｍ範囲を同一地点と見なすようにする。同一地点と見なす範囲は、経過時間情報を調整した場合と同様、ハンドオーバーに要する制御時間や、携帯通信端末１００の移動速度のばらつきを考慮して決定される。
【００７４】
第１の実施の形態の経過時間情報に代えて携帯通信端末７００の位置を表す位置情報を用いる点を除き、本実施の形態の携帯通信端末７００は、第１の実施の形態に係る携帯通信端末１００等同様に動作する。時間ではなく位置に基づく制御なので、携帯通信端末１００の移動速度が変化しても、例えば、電車の遅延や交通渋滞があっても、その影響を受けることなく省電力モードで動作させることが可能である。
【００７５】
本実施の形態に係る携帯通信端末７００も、また、第１の実施の形態に係る携帯通信端末１００と同様の効果を奏する。
【００７６】
以上、本発明について、いくつかの実施の形態に即して説明したが、本発明は上記実施の形態に限定されず、種々の変形又は変更が可能である。例えば、上記実施の形態では、経過時間情報又は位置情報に基づいて省電力モードを制御する例について説明したが、これらを組み合わせてもよい。経過時間情報に基づく制御を主として、位置情報監視制御部を必要なときのみ動作させるようにすることで、消費電力を抑えつつ、精度の高い制御が可能となる。つまり、携帯通信端末は、通常、常時動作している時計機能を備えているため、それを利用すればタイマー部１０４を常時動作させても消費電力の増加はほとんど無い。しかし、経過時間情報に基づく制御は、電車の遅延や交通渋滞等による移動時間の変化に弱い。一方、位置情報に基づく制御は、精度の点では優れるが、位置情報監視制御部を常時動作させると消費電力の増加につながる。上記のようにすることで、消費電力を抑えつつ、精度の高い制御が可能となる。
【００７７】
上記の実施形態の一部又は全部は、以下の付記のようにも記載されうるが、以下には限られない。
【００７８】
（付記１）  セルサーチを行うセルサーチ手段と、特定経路上のセルをカバーする基地局に関する経路情報を記憶する記憶手段と、前記経路情報に基づいてセルサーチ手段を制御し、省電力モードを実現する制御手段と、を備えることを特徴とする携帯通信端末。
【００７９】
（付記２）  入力操作に応じて学習開始指令及び学習終了指令を出力する入力操作手段と、前記学習開始指令を受けてから前記学習終了指令を受けるまでの間に接続先となった基地局を特定する情報を前記経路情報として生成する経路情報生成手段と、をさらに備えることを特徴とする付記１に記載の携帯通信端末。
【００８０】
（付記３）  前記学習開始指令を受けてからの経過時間を測定する計時手段をさらに備え、前記経路情報生成手段は、前記計時手段が測定した前記経過時間に基づいて、前記経路情報に、前記学習開始指令を受けてから各基地局が接続先となったとき及び接続先でなくなったときまでの経過時間を表す時間情報を含ませるようにした、ことを特徴とする付記２に記載の携帯通信端末。
【００８１】
（付記４）  前記経路情報生成手段は、接続先となる基地局が１つのときの第１の期間を短縮し、接続先となる基地局が２つ以上のときの第２の期間を伸長するように、前記計時手段が測定した前記経過時間を調整し、調整された経過時間を前記時間情報として前記経路情報に含ませるようにした、ことを特徴とする付記３に記載の携帯通信端末。
【００８２】
（付記５）  位置情報を取得する位置情報取得手段をさらに備え、前記経路情報生成手段は、前記位置情報取得手段が取得した前記位置情報に基づいて、前記経路情報に、前記学習開始指令を受けてから各基地局が接続先となったとき及び接続先でなくなったときの位置情報を含ませるようにした、ことを特徴とする付記２に記載の携帯通信端末。
【００８３】
（付記６）  前記制御手段は、前記経路情報に基づいてセルサーチを行ったとき、接続先となる基地局を見つけられなければ、通常モードに移行させることを特徴とする付記１乃至５のいずれかに記載の携帯通信端末。
【００８４】
（付記７）  付記１乃至６のいずれかに記載の携帯通信端末を含むことを特徴とする移動体通信システム。
【００８５】
（付記８）  省電力モードへの移行指令を検出するステップ、特定経路上のセルをカバーする基地局に関する経路情報を記憶する記憶部から前記経路情報を読み出すステップ、及び前記経路情報に基づいてセルサーチを行うステップ、を含むことを特徴とする携帯通信端末の制御方法。
【００８６】
（付記９）  学習開始指令及び学習終了指令を検出するステップ、前記学習開始指令入力から学習終了指令入力までの間に接続先となった基地局と特定する情報を前記経路情報として生成するステップ、及び前記経路情報を前記記憶部に格納させるステップ、をさらに含むことを特徴とする付記８の携帯通信端末の制御方法。
【００８７】
（付記１０）  前記学習開始指令を受けてからの経過時間を測定するステップをさらに含み、前記経路情報を生成するステップは、測定された前記経過時間に基づいて、前記経路情報に、前記学習開始指令を受けてから各基地局が接続先となったとき及び接続先でなくなったときまでの経過時間を表す時間情報を含ませるステップを含む、ことを特徴とする付記９に記載の携帯通信端末の制御方法。
【００８８】
（付記１１）  前記経路情報を生成するステップは、接続先となる基地局が１つのときの第１の期間を短縮し、接続先となる基地局が２つ以上のときの第２の期間を伸長するように、前記計時手段が測定した前記経過時間を調整し、調整された経過時間を前記時間情報として前記経路情報に含ませるステップを含む、ことを特徴とする付記１０に記載の携帯通信端末の制御方法。
【００８９】
（付記１２）  位置情報を取得する位置情報取得ステップをさらに含み、前記経路情報を生成するステップは、取得した前記位置情報に基づいて、前記経路情報に、前記学習開始指令を受けてから各基地局が接続先となったとき及び接続先でなくなったときの位置情報を含ませるステップを含む、ことを特徴とする付記９に記載の携帯通信端末の制御方法。
【００９０】
（付記１３）  前記経路情報に基づいてセルサーチを行うステップは、接続先となる基地局を見つからないときに中止されることを特徴とする付記８乃至１２のいずれかに記載の携帯通信端末の制御方法。
【００９１】
（付記１４）  省電力モードへの移行指令を検出するステップ、特定経路上のセルをカバーする基地局に関する経路情報を記憶する記憶部から前記経路情報を読み出すステップ、及び前記経路情報に基づいてセルサーチを行うステップ、をコンピュータに実行させるプログラム。
【００９２】
（付記１５）  学習開始指令及び学習終了指令を検出するステップ、前記学習開始指令入力から学習終了指令入力までの間に接続先となった基地局と特定する情報を前記経路情報として生成するステップ、及び前記経路情報を前記記憶部に格納させるステップ、をさらにコンピュータに実行させる付記１４に記載のプログラム。
【００９３】
（付記１６）  前記学習開始指令を受けてからの経過時間を測定するステップをさらにコンピュータに実行させるとともに、前記経路情報を生成するステップにおいて、測定された前記経過時間に基づいて、前記経路情報に、前記学習開始指令を受けてから各基地局が接続先となったとき及び接続先でなくなったときまでの経過時間を表す時間情報を含ませるステップを、コンピュータに実行させる付記１５に記載のプログラム。
【００９４】
（付記１７）  前記経路情報を生成するステップにおいて、接続先となる基地局が１つのときの第１の期間を短縮し、接続先となる基地局が２つ以上のときの第２の期間を伸長するように、前記計時手段が測定した前記経過時間を調整し、調整された経過時間を前記時間情報として前記経路情報に含ませるステップを、コンピュータに実行させる付記１６に記載のプログラム。
【００９５】
（付記１８）  位置情報を取得する位置情報取得ステップをさらコンピュータに実行させるとともに、前記経路情報を生成するステップにおいて、取得した前記位置情報に基づいて、前記経路情報に、前記学習開始指令を受けてから各基地局が接続先となったとき及び接続先でなくなったときの位置情報を含ませるステップを、コンピュータに実行させる付記１５に記載のプログラム。
【００９６】
（付記１９）  前記経路情報に基づいてセルサーチを行うステップを、接続先となる基地局が見つからないときに中止させるステップを、コンピュータに実行させる付記７乃至１８のいずれかに記載のプログラム。
【符号の説明】
【００９７】
１００    携帯通信端末
１０１    受信部
１０２    制御部
１０３    経路情報記憶部
１０４    タイマー部
１０５    基地局情報変化検出部
１０６    省電力機能制御インタフェース
２０１    特定経路
２０２    トンネル
７００    携帯通信端末
７０４    位置情報監視制御部
【図１】
0005556267.tif 000002
【図２】
0005556267.tif 000003
【図３】
0005556267.tif 000004
【図４】
0005556267.tif 000005
【図５】
0005556267.tif 000006
【図６】
0005556267.tif 000007
【図７】
0005556267.tif 000008